(57)【要約】【課題】狭額縁化が可能な表示装置を提供する。【解決手段】本実施形態によれば、画素を備えた表示領域である第１領域と、非表示領域であり第１領域と隣接する第２領域及び第３領域とを有する第１基体と、第１領域と第２領域との境界に位置する第１折り曲げ線と、第１領域と第３領域との境界に位置する第２折り曲げ線と、を備え、第１折り曲げ線は、第１方向に沿って延出し、第２折り曲げ線は、第１方向と交差する第２方向に沿って延出している、表示装置が提供される。【選択図】図２
2019012229.tif 000002
【特許請求の範囲】
【請求項１】
表示素子を備えた表示領域である第１領域と、非表示領域であり前記第１領域と隣接する第２領域及び第３領域とを有する第１基体と、
前記第１領域と前記第２領域との境界に位置する第１折り曲げ線と、
前記第１領域と前記第３領域との境界に位置する第２折り曲げ線と、
を備え、
前記第１折り曲げ線は、第１方向に沿って延出し、
前記第２折り曲げ線は、前記第１方向と交差する第２方向に沿って延出している、表示装置。
【請求項２】
前記表示素子を駆動する第１ドライバ及び第２ドライバをさらに備え、
前記第１ドライバは、前記第２領域に位置し、
前記第２ドライバは、前記第３領域に位置している、請求項１に記載の表示装置。
【請求項３】
前記第２領域に位置し、前記第１方向に沿って延出した第３折り曲げ線と、
前記第３領域に位置し、前記第２方向に沿って延出した第４折り曲げ線と、
をさらに備える、請求項１に記載の表示装置。
【請求項４】
前記第２領域は、前記第１領域と反対側の第１端部を有し、
前記第３領域は、前記第１領域と反対側の第２端部を有し、
前記第１端部と前記第２端部とは、前記第１領域の直下に位置している、請求項１又は３に記載の表示装置。
【請求項５】
前記第１端部と前記第２端部とは、重なっていない、請求項４に記載の表示装置。
【請求項６】
前記表示素子を駆動する第１ドライバ及び第２ドライバをさらに備え、
前記第１ドライバは、前記第３折り曲げ線と前記第１端部との間に位置し、
前記第２ドライバは、前記第４折り曲げ線と前記第２端部との間に位置している、請求項４又は５に記載の表示装置。
【請求項７】
前記第１ドライバと電気的に接続された端子を含む第１実装部と、
前記第２ドライバと電気的に接続された端子を含む第２実装部と、
をさらに備える、請求項６に記載の表示装置。
【請求項８】
前記第２領域は、前記第１方向において前記第２折り曲げ線を越えず、
前記第３領域は、前記第２方向において前記第１折り曲げ線を超えない、請求項１乃至７のいずれか１項に記載の表示装置。
【請求項９】
前記第１基体は、前記第２領域と前記第３領域とに隣接する第４領域と、前記第１折り曲げ線と前記第２折り曲げ線との交点に位置する開口とを有している、請求項１乃至７のいずれか１項に記載の表示装置。
【請求項１０】
前記表示素子と電気的に接続された第１配線をさらに備え、
前記第１基体は、前記第２領域と前記第３領域とに隣接する第４領域を有し、
前記第１配線は、前記第２領域から前記第１領域を通って前記第３領域まで延伸し、前記第４領域に配置されていない、請求項１乃至７のいずれか１項に記載の表示装置。
【請求項１１】
前記第２領域、前記第１領域、及び前記第３領域を通る枠体をさらに備える、請求項１乃至１０のいずれか１項に記載の表示装置。
【請求項１２】
前記表示素子と電気的に接続された第１配線をさらに備え、
前記第１基体は、前記第２領域と前記第３領域とに隣接する第４領域を有し、
前記第１配線は、前記第４領域を通っている、請求項１乃至７のいずれか１項に記載の表示装置。
【請求項１３】
少なくとも前記第４領域に位置する第１有機絶縁層及び第２有機絶縁層をさらに備え、
前記第１配線は、前記第４領域において前記第１有機絶縁層と前記第２有機絶縁層との間に位置している、請求項１２に記載の表示装置。
【請求項１４】
前記第４領域に形成された第２配線と、
前記第４領域に形成され、前記第２配線と電位が異なる第３配線と、
前記第４領域に位置する第５折り曲げ線をさらに備え、
前記第２配線と前記第３配線とは、前記第５折り曲げ線と重なる領域において重なっていない、請求項１２又は１３に記載の表示装置。
【請求項１５】
前記第１領域を囲み、前記第２領域、前記第３領域、及び前記第４領域を通る枠体をさらに備える、請求項１２乃至１４のいずれか１項に記載の表示装置。
【請求項１６】
前記第１折り曲げ線及び前記第２折り曲げ線は、山折りの折り曲げ線である、請求項１乃至１５のいずれか１項に記載の表示装置。
【請求項１７】
表示素子を備えた表示領域である第１領域と、
前記第１領域と隣接する第２領域及び第３領域と、
前記第１領域と前記第２領域との境界に位置し、第１方向に沿って延出した第１折り曲げ線と、
前記第１領域と前記第３領域との境界に位置し、前記第１方向と交差する第２方向に沿った第２折り曲げ線と、
前記第２領域に位置し、前記第１方向に沿って延出した第３折り曲げ線と、
前記第３領域に位置し、前記第２方向に沿って延出した第４折り曲げ線と、
を備え、
前記第２領域は、前記第１折り曲げ線と前記第３折り曲げ線との間に位置する第１予備表示領域を有し、
前記第３領域は、前記第２折り曲げ線と前記第４折り曲げ線との間に位置する第２予備表示領域を有している、表示装置。
【発明の詳細な説明】
【技術分野】
【０００１】
本実施形態は、表示装置に関する。
【背景技術】
【０００２】
スマートフォンに代表される携帯型情報端末において、扱う情報量の増加に伴い、表示画面の大きさが表示装置の重要な性能指標の一つとなっている。一方、携帯型情報端末のハードウエアとしては、軽くコンパクトである事が求められている。したがって、携帯型情報端末などに組み込まれる表示装置としては、可能な限り非表示部の存在しない、すなわち、表示領域の割合の高いデバイスが求められている。しかしながら、表示素子を駆動するための内蔵回路、引き回し配線、外部機器との接続部については、完全に取り去ることは困難である。
【先行技術文献】
【特許文献】
【０００３】
【特許文献１】米国特許出願公開第２０１６／９３４９７５８号明細書
【発明の概要】
【発明が解決しようとする課題】
【０００４】
本実施形態の目的は、狭額縁化が可能な表示装置を提供することである。
【課題を解決するための手段】
【０００５】
一実施形態によれば、  
画素を備えた表示領域である第１領域と、非表示領域であり前記第１領域と隣接する第２領域及び第３領域とを有する第１基体と、前記第１領域と前記第２領域との境界に位置する第１折り曲げ線と、前記第１領域と前記第３領域との境界に位置する第２折り曲げ線と、を備え、前記第１折り曲げ線は、第１方向に沿って延出し、前記第２折り曲げ線は、前記第１方向と交差する第２方向に沿って延出している、表示装置が提供される。
【０００６】
一実施形態によれば、  
表示素子を備えた表示領域である第１領域と、前記第１領域と隣接する第２領域及び第３領域と、前記第１領域と前記第２領域との境界に位置し、第１方向に沿って延出した第１折り曲げ線と、前記第１領域と前記第３領域との境界に位置し、前記第１方向と交差する第２方向に沿った第２折り曲げ線と、前記第２領域に位置し、前記第１方向に沿って延出した第３折り曲げ線と、前記第３領域に位置し、前記第２方向に沿って延出した第４折り曲げ線と、を備え、前記第２領域は、前記第１折り曲げ線と前記第３折り曲げ線との間に位置する第１予備表示領域を有し、前記第３領域は、前記第２折り曲げ線と前記第４折り曲げ線との間に位置する第２予備表示領域を有している、表示装置が提供される。
【図面の簡単な説明】
【０００７】
【図１】図１は、本実施形態に係る表示装置ＤＳＰの構成例を示す斜視図である。
【図２】図２は、図１に示す表示パネルＰＮＬの展開図である。
【図３】図３は、図２に示す領域Ａ１の断面図である。
【図４】図４は、第２基板ＳＵＢ２が備える遮光層ＢＭの配置例を示す平面図である。
【図５】図５は、表示パネルＰＮＬの第１変形例を示す展開図である。
【図６】図６は、図５に示す表示パネルＰＮＬを折り曲げ線に沿って折り曲げた場合の斜視図である。
【図７】図７は、図６に示すＡ−Ｂ線に沿った断面図である。
【図８】図８は、表示パネルＰＮＬの第２変形例を示す展開図である。
【図９】図９は、図８に示す表示パネルＰＮＬを折り曲げた場合の斜視図である。
【図１０】図１０は、表示パネルＰＮＬの第３変形例を示す展開図である。
【図１１】図１１は、図１０に示す表示パネルＰＮＬに配線基板が実装された状態を示す平面図である。
【図１２】図１２は、表示パネルＰＮＬの第４変形例を示す展開図である。
【図１３】図１３は、表示パネルＰＮＬの第５変形例を示す展開図である。
【図１４】図１４は、図１３に示す表示パネルを折り曲げた場合の斜視図である。
【図１５】図１５は、図１３に示すＣ−Ｄ線に沿った断面を模式的に示す図である。
【図１６】図１６は、表示パネルＰＮＬの第６変形例を示す展開図である。
【図１７】図１７は、図１６に示す表示パネルＰＮＬを折り曲げた場合の斜視図である。
【図１８】図１８は、表示パネルＰＮＬの第７変形例を示す展開図である。
【図１９】図１９は、表示パネルＰＮＬの第８変形例を示す展開図である。
【図２０】図２０は、図１９に示す領域Ａ６を拡大して示す平面図である。
【図２１】図２１は、図１９に示すＥ−Ｆ線に沿った断面図である。
【図２２】図２２は、表示パネルＰＮＬの第９変形例を示す断面図である  。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態に係る表示装置ＤＳＰの構成例を示す斜視図である。図１は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘと第２方向Ｙとは、９０度以外の角度で交差していてもよい。本実施形態において、第３方向Ｚを上と定義し、第３方向Ｚと反対側の方向を下と定義する。
【００１０】
本実施形態において、表示装置ＤＳＰは、一例として、液晶層を有する液晶表示装置である。しかしながら、表示装置ＤＳＰは、有機エレクトロルミネッセンス（ＥＬ）素子を有する有機ＥＬ表示装置、あるいは電気泳動型素子等を有する電子ペーパー型表示装置等、他の表示装置であってもよい。
【００１１】
表示装置ＤＳＰは、表示パネルＰＮＬと、配線基板ＰＣ１と、光学素子ＯＤと、を備えている。
【００１２】
表示パネルＰＮＬは、少なくとも交差する２方向に沿って折り曲げられている。図示した例では、表示パネルＰＮＬは、４つの折り曲げ線ＦＬ１、ＦＬ２、ＦＬ３、及びＦＬ４において折り曲げられている。折り曲げ線ＦＬ１及びＦＬ３は、第１方向Ｘに沿って延出している。折り曲げ線ＦＬ２及びＦＬ４は、第２方向Ｙに沿って延出している。なお、本実施形態において、折り曲げとは、単一部材において交差する２つの平面が形成され、且つ、交差する２つの平面の間に形成される曲面状の領域の幅が、平面の幅に比べて十分に小さいことを意味する。表示パネルＰＮＬの折り曲げにおいて、曲率半径は、例えば表示パネルＰＮＬの厚さ程度である。
【００１３】
折り曲げ線ＦＬ１、ＦＬ２、ＦＬ３、及びＦＬ４において折り曲げられたことにより、表示パネルＰＮＬには、主面としての領域Ａ１と、側面に位置する領域Ａ２、Ａ３、Ａ４、及びＡ５とが形成されている。本実施形態において、領域Ａ１は、そのほぼ全面に亘って画像を表示する表示領域である。一方、領域Ａ２、Ａ３、Ａ４、及びＡ５は、非表示領域である。
【００１４】
領域Ａ１は、四角形であり、一例では、長方形状である。折り曲げ線ＦＬ１、ＦＬ２、ＦＬ３、及びＦＬ４は、領域Ａ１の４つの辺に相当する。換言すると、折り曲げ線ＦＬ１、ＦＬ２、ＦＬ３、及びＦＬ４は、表示領域と非表示領域との境界に相当する。具体的には、折り曲げ線ＦＬ１は、領域Ａ１と領域Ａ２との境界に位置している。折り曲げ線ＦＬ２は領域Ａ１と領域Ａ３との境界に位置している。折り曲げ線ＦＬ３は、領域Ａ１と領域Ａ４との境界に位置している。折り曲げ線ＦＬ４は、領域Ａ１と領域Ａ５との境界に位置している。なお、領域Ａ１は、四角形に限らず、他の多角形であってもよい。
【００１５】
折り曲げ線ＦＬ１、ＦＬ２、ＦＬ３、及びＦＬ４は、いずれも山折りの折り曲げ線である。すなわち、領域Ａ２、Ａ３、Ａ４、及びＡ５は、折り曲げ線ＦＬ１、ＦＬ２、ＦＬ３、及びＦＬ４においてそれぞれ領域Ａ１から下側（すなわち表示面と反対側）に向かって折り曲げられている。領域Ａ１と領域Ａ２、Ａ３、Ａ４、及びＡ５とがなす角度は、一例では、いずれも約９０度である。なお、領域Ａ１と領域Ａ２、Ａ３、Ａ４、及びＡ５とがなす角度は、９０度以外の角度であってもよく、それぞれ異なっていてもよい。領域Ａ２、Ａ３、Ａ４、及びＡ５の各々が領域Ａ１の背面側に重なる場合もありうる。表示パネルＰＮＬが折り曲げられた状態において、領域Ａ２、Ａ３、Ａ４、及びＡ５は、互いに離間している。
【００１６】
光学素子ＯＤは、領域Ａ１とほぼ等しい面積を有し、領域Ａ１の直上に設けられている。すなわち、領域Ａ１の全面は、光学素子ＯＤと重なっている。一方、領域Ａ２、Ａ３、Ａ４、及びＡ５は、光学素子ＯＤと重なっていない。図示した例では、表示パネルＰＮＬは、表示装置ＤＳＰを駆動するためのソースドライバＳＤ及びゲートドライバＧＤ１を備えている。一例では、ソースドライバＳＤは、領域Ａ２に形成され、ゲートドライバＧＤ１は、領域Ａ３に形成されている。領域Ａ２、Ａ３、Ａ４及びＡ５の各々が領域Ａ１の背面側に位置する場合、ソースドライバＳＤ及びゲートドライバＧＤ１は、領域Ａ１の背面側と重なる。
【００１７】
配線基板ＰＣ１は、領域Ａ２に実装されている。このような配線基板ＰＣ１は、例えば可撓性を有するフレキシブル基板である。なお、本実施形態で適用可能なフレキシブル基板とは、その少なくとも一部分に、屈曲可能な材料によって形成されたフレキシブル部を備えていればよい。例えば、配線基板ＰＣ１は、その全体がフレキシブル部として構成されたフレキシブル基板であってもよいし、ガラスエポキシなどの硬質材料によって形成されたリジッド部と、ポリイミドなどの屈曲可能な材料によって形成されたフレキシブル部とを備えたリジッドフレキシブル基板であってもよい。
【００１８】
図２は、図１に示す表示パネルＰＮＬの展開図である。図２は、第１方向Ｘ及び第２方向Ｙによって規定されるＸ−Ｙ平面と平行な面を示している。なお、以下では、平面図において、山折りの折り曲げ線は、破線で示し、谷折りの折り曲げ線は、一点鎖線で示す。
【００１９】
表示パネルは、一例では、略八角形状である。図示した例では、表示パネルＰＮＬは、領域Ａ１と、領域Ａ１と隣接する領域Ａ２、Ａ３、Ａ４、及びＡ５とを有している。領域Ａ２と領域Ａ４とは、領域Ａ１を間に挟み、第２方向Ｙに対向している。領域Ａ３と領域Ａ５とは、領域Ａ１を間に挟み、第１方向Ｘに対向している。
【００２０】
折り曲げ線ＦＬ１は、領域Ａ１と領域Ａ２との境界に位置している。折り曲げ線ＦＬ２は、領域Ａ１と領域Ａ３との境界に位置している。折り曲げ線ＦＬ３は、領域Ａ１と領域Ａ４との境界に位置している。折り曲げ線ＦＬ４は、領域Ａ１と領域Ａ５との境界に位置している。折り曲げ線ＦＬ１及びＦＬ３は、第１方向Ｘに沿って延出している。折り曲げ線ＦＬ２及びＦＬ４は、第２方向Ｙに沿って延出している。一例では、折り曲げ線ＦＬ１の長さと折り曲げ線ＦＬ３の長さとは、等しい。また、折り曲げ線ＦＬ２の長さと折り曲げ線ＦＬ４の長さとは、等しい。図示した例では、折り曲げ線ＦＬ１及びＦＬ３の長さは、折り曲げ線ＦＬ２及びＦＬ４の長さより小さい。
【００２１】
領域Ａ２、Ａ３、Ａ４、及びＡ５は、一例では、台形状である。領域Ａ２、Ａ３、Ａ４、及びＡ５は、領域Ａ１と反対側に位置する端部Ｅ２ａ、Ｅ３ａ、Ｅ４ａ及びＥ５ａをそれぞれ有している。一例では、端部Ｅ２ａ及びＥ４ａは、第１方向Ｘに沿って延出している。端部Ｅ３ａ及びＥ５ａは、第２方向Ｙに沿って延出している。端部Ｅ２ａ及び端部Ｅ４ａの第１方向Ｘに沿った長さは、折り曲げ線ＦＬ１及びＦＬ３よりの長さより小さい。また、端部Ｅ３ａ及び端部Ｅ５ａの第２方向Ｙに沿った長さは、折り曲げ線ＦＬ２及びＦＬ４の長さより小さい。
【００２２】
第１方向Ｘにおいて、領域Ａ２は、折り曲げ線ＦＬ２と折り曲げ線ＦＬ４との間に位置している。すなわち、領域Ａ２の領域Ａ５側の端部Ｅ２ｂは、折り曲げ線ＦＬ４を越えていない。領域Ａ２の領域Ａ３側の端部Ｅ２ｃは、折り曲げ線ＦＬ２を越えていない。図示した例では、端部Ｅ２ｂは、端部Ｅ２ａの一端から折り曲げ線ＦＬ１の一端に向かって直線状に延出している。また、端部Ｅ２ｃは、端部Ｅ２ａの他端から折り曲げ線ＦＬ１の他端に向かって直線状に延出している。
【００２３】
領域Ａ４は、領域Ａ２と同様に、第１方向Ｘにおいて折り曲げ線ＦＬ２と折り曲げ線ＦＬ４との間に位置している。すなわち、領域Ａ４の領域Ａ５側の端部Ｅ４ｂは、折り曲げ線ＦＬ４を越えていない。領域Ａ４の領域Ａ３側の端部Ｅ４ｃは、折り曲げ線ＦＬ２を越えていない。図示した例では、端部Ｅ４ｂは、端部Ｅ４ａの一端から折り曲げ線ＦＬ３の一端に向かって直線状に延出している。また、端部Ｅ４ｃは、端部Ｅ４ａの他端から折り曲げ線ＦＬ３の他端に向かって直線状に延出している。
【００２４】
第２方向Ｙにおいて、領域Ａ３は、折り曲げ線ＦＬ１と折り曲げ線ＦＬ３との間に位置している。すなわち、領域Ａ３の領域Ａ２側の端部Ｅ３ｂは、折り曲げ線ＦＬ１を超えていない。領域Ａ３の領域Ａ４側の端部Ｅ３ｃは、折り曲げ線ＦＬ３を越えていない。図示した例では、端部Ｅ３ｂは、端部Ｅ３ａの一端から折り曲げ線ＦＬ２の一端に向かって直線状に延出している。また、端部Ｅ３ｃは、端部Ｅ３ａの他端から折り曲げ線ＦＬ２の他端に向かって直線状に延出している。
【００２５】
領域Ａ５は、領域Ａ３と同様に、第２方向Ｙにおいて折り曲げ線ＦＬ１と折り曲げ線ＦＬ３との間に位置している。すなわち、領域Ａ５の領域Ａ２側の端部Ｅ５ｂは、折り曲げ線ＦＬ１を超えていない。領域Ａ５の領域Ａ４側の端部Ｅ５ｃは、折り曲げ線ＦＬ３を越えていない。図示した例では、端部Ｅ５ｂは、端部Ｅ５ａの一端から折り曲げ線ＦＬ４の一端に向かって直線状に延出している。また、端部Ｅ５ｃは、端部Ｅ５ａの他端から折り曲げ線ＦＬ４の他端に向かって直線状に延出している。
【００２６】
図示した例では、端部Ｅ２ｃと端部Ｅ３ｂとは、同一直線上に位置している。端部Ｅ３ｃと端部Ｅ４ｃとは、同一直線上に位置している。端部Ｅ４ｂと端部Ｅ５ｃとは、同一直線上に位置している。端部Ｅ５ｂと端部Ｅ２ｂとは、同一直線上に位置している。
【００２７】
表示パネルＰＮＬは、領域Ａ１において、複数の走査線Ｇ、複数の信号線Ｓ、及びこれらと電気的に接続された複数の画素ＰＸを備えている。ここで、画素ＰＸとは、画素信号に応じて個別に制御することができる最小単位に相当する。図示した例では、走査線Ｇは、第１方向Ｘに沿って延出し、第２方向Ｙに間隔をおいて並んでいる。信号線Ｓは、第２方向Ｙに沿って延出し、第１方向Ｘに間隔をおいて並んでいる。画素ＰＸは、第１方向Ｘ及び第２方向Ｙに沿ってマトリクス状に配置されている。
【００２８】
各画素ＰＸは、図において下側に示すように、スイッチング素子ＳＷ、画素電極ＰＥ、共通電極ＣＥ、液晶素子（後述する液晶層）ＬＣ等を備えている。スイッチング素子ＳＷは、例えば薄膜トランジスタ（ＴＦＴ）によって構成されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、複数の画素ＰＸに亘って配置された共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。
【００２９】
また、表示パネルＰＮＬは、非表示領域において、各画素ＰＸを駆動するソースドライバＳＤとゲートドライバＧＤ１及びＧＤ２とを備えている。図示した例では、ソースドライバＳＤは、領域Ａ２に形成され、第１方向Ｘに沿って延出している。ゲートドライバＧＤ１は、領域Ａ３に形成され、第２方向Ｙに沿って延出している。ゲートドライバＧＤ２は、領域Ａ５に形成され、第２方向Ｙに沿って延出している。信号線Ｓは、領域Ａ２まで延出し、ソースドライバＳＤに接続されている。走査線Ｇは、領域Ａ３又は領域Ａ５まで延出し、ゲートドライバＧＤ１又はゲートドライバＧＤ２に接続されている。図示した例では、ゲートドライバＧＤ１に接続される走査線Ｇと、ゲートドライバＧＤ２に接続される走査線Ｇとは、第２方向Ｙにおいて交互に並んでいる。なお、図示した例では、信号線Ｓ及び走査線Ｇは、直線状に延出しているが、一部が屈曲していてもよい。
【００３０】
折り曲げ線ＦＬ１、ＦＬ２、ＦＬ３、及びＦＬ４は、最外周の画素ＰＸに沿って配置されている。換言すると、折り曲げ線ＦＬ１と端部Ｅ２ａとの間、折り曲げ線ＦＬ２と端部Ｅ３ａとの間、折り曲げ線ＦＬ３と端部Ｅ４ａとの間、及び折り曲げ線ＦＬ４と端部Ｅ５ａとの間には、画素ＰＸは、配置されていない。図示した例では、折り曲げ線ＦＬ１は、最外周に位置する画素ＰＸ２ａとソースドライバＳＤとの間に位置している。折り曲げ線ＦＬ２は、最外周に位置する画素ＰＸ３ａとゲートドライバＧＤ１との間に位置している。折り曲げ線ＦＬ４は、最外周に位置する画素ＰＸ５ａとゲートドライバＧＤ２との間に位置している。ここで、画素ＰＸ２ａは、第１方向Ｘに沿って並んだ画素ＰＸのうち、端部Ｅ２ａに最も近接した画素ＰＸである。画素ＰＸ３ａは、第２方向Ｙに沿って並んだ画素ＰＸのうち、端部Ｅ３ａに最も近接した画素ＰＸである。画素ＰＸ５ａは、第２方向Ｙに沿って並んだ画素ＰＸのうち、端部Ｅ５ａに最も近接した画素ＰＸである。折り曲げ線ＦＬ１、ＦＬ２、ＦＬ３、及びＦＬ４は、いずれもソースドライバＳＤ、ゲートドライバＧＤ１及びＧＤ２と交差していない。
【００３１】
表示パネルＰＮＬは、第１基板ＳＵＢ１と第２基板ＳＵＢ２とによって構成されている。上述の信号線Ｓ、走査線Ｇ、スイッチング素子ＳＷ、ソースドライバＳＤ、ゲートドライバＧＤ１及びＧＤ２などは、第１基板ＳＵＢ１に形成されている。第１基板ＳＵＢ１は、第２基板ＳＵＢ２より第２方向Ｙに沿って延出した実装部ＭＴ１を備えている。図示した例では、実装部ＭＴ１は、領域Ａ２に位置し、端部Ｅ２ａ沿って設けられている。実装部ＭＴ１は、表示パネルＰＮＬを、図１に示す配線基板ＰＣ１などと電気的に接続するための複数の端子ＴＥを含んでいる。
【００３２】
第１基板ＳＵＢ１と第２基板ＳＵＢ２とは、第３方向Ｚに対向し、シールＳＥによって互いに接着されている。シールＳＥは、表示パネルＰＮＬの外周に沿って略八角形の枠状に設けられている。液晶層ＬＣは、シールＳＥで囲まれた領域内に位置している。図示した例では、シールＳＥの一部は、領域Ａ１と重なっている。具体的には、シールＳＥは、領域Ａ２から領域Ａ１を通って領域Ａ３へ延出し、領域Ａ３から領域Ａ１を通って領域Ａ４へ延出し、領域Ａ４から領域Ａ１を通って領域Ａ５へ延出し、領域Ａ５から領域Ａ１を通って領域Ａ２へ延出している。換言すると、シールＳＥは、折り曲げ線ＦＬ１、ＦＬ２、ＦＬ３、及びＦＬ４と２回ずつ交差している。図示した例では、シールＳＥは、領域Ａ２において、ソースドライバＳＤと端部Ｅ２ａとの間に位置し、領域Ａ３において、ゲートドライバＧＤ１と端部Ｅ３ａとの間に位置し、領域Ａ５において、ゲートドライバＧＤ２と端部Ｅ５ａとの間に位置している。
【００３３】
図示した例では、ゲートドライバＧＤ１に接続された配線ＷＬ１と、ゲートドライバＧＤ２に接続された配線ＷＬ２とは、領域Ａ１を通って実装部ＭＴ１へ延出している。すなわち、配線ＷＬ１は、折り曲げ線ＦＬ２及びＦＬ１と１回ずつ交差している。配線ＷＬ１は、少なくとも領域Ａ３及びＡ１において、シールＳＥより内側に位置している。配線ＷＬ２は、折り曲げ線ＦＬ４及びＦＬ１と１回ずつ交差している。配線ＷＬ２は、少なくとも領域Ａ５及びＡ１において、シールＳＥより内側に位置している。ソースドライバＳＤに接続された配線ＷＬ３は、領域Ａ２において実装部ＭＴ１へ向かって延出している。図示した例では、配線ＷＬ１、ＷＬ２、及びＷＬ３は、ソースドライバＳＤと端部Ｅ２ａとの間でシールＳＥと交差している。
【００３４】
図３は、図２に示す領域Ａ１の断面図である。ここでは、表示装置ＤＳＰを第３方向Ｚに沿って切断した断面図を示す。図示した表示パネルＰＮＬは、主として基板主面にほぼ平行な横電界を利用する表示モードに対応した構成を有している。なお、ここでの基板主面とは、Ｘ−Ｙ平面と平行な面である。
【００３５】
第１基板ＳＵＢ１は、基体１０、信号線Ｓ、共通電極ＣＥ、金属層ＭＬ、画素電極ＰＥ、絶縁層１１、絶縁層１２、絶縁層１３、第１配向膜ＡＬ１などを備えている。基体１０は、例えばポリイミド等の有機材料によって形成されている。基体１０は、第２基板ＳＵＢ２と対向する第１面１０Ａと、第１面１０Ａと反対側の第２面１０Ｂとを有している。なお、ここでは、スイッチング素子や走査線、これらの間に介在する各種絶縁層等の図示を省略している。
【００３６】
絶縁層１１は、基体１０の上、すなわち第１面１０Ａ側に位置している。図示しない走査線やスイッチング素子の半導体層は、基体１０と絶縁層１１の間に位置している。信号線Ｓは、絶縁層１１の上に位置している。絶縁層１２は、信号線Ｓ、及び、絶縁層１１の上に位置している。共通電極ＣＥは、絶縁層１２の上に位置している。金属層ＭＬは、信号線Ｓの直上において共通電極ＣＥに接触している。図示した例では、金属層ＭＬは、共通電極ＣＥの上に位置しているが、共通電極ＣＥと絶縁層１２との間に位置していてもよい。絶縁層１３は、共通電極ＣＥ、及び、金属層ＭＬの上に位置している。画素電極ＰＥは、絶縁層１３の上に位置している。画素電極ＰＥは、絶縁層１３を介して共通電極ＣＥと対向している。また、画素電極ＰＥは、共通電極ＣＥと対向する位置にスリットＳＴを有している。第１配向膜ＡＬ１は、画素電極ＰＥ及び絶縁層１３を覆っている。
【００３７】
走査線、信号線Ｓ、及び、金属層ＭＬは、モリブデン、タングステン、チタン、アルミニウムなどの金属材料によって形成され、単層構造であってもよいし、多層構造であってもよい。共通電極ＣＥ及び画素電極ＰＥは、ＩＴＯやＩＺＯなどの透明な導電材料によって形成されている。絶縁層１１及び絶縁層１３は無機絶縁層であり、絶縁層１２は有機絶縁層である。
【００３８】
なお、第１基板ＳＵＢ１の構成は、図示した例に限らず、画素電極ＰＥが絶縁層１２と絶縁層１３との間に位置し、共通電極ＣＥが絶縁層１３と第１配向膜ＡＬ１との間に位置していてもよい。このような場合、画素電極ＰＥはスリットを有していない平板状に形成され、共通電極ＣＥは画素電極ＰＥと対向するスリットを有する。また、画素電極ＰＥ及び共通電極ＣＥの双方が櫛歯状に形成され、互いに噛み合うように配置されていてもよい。
【００３９】
第２基板ＳＵＢ２は、基体２０、遮光層ＢＭ、カラーフィルタＣＦ、オーバーコート層ＯＣ、第２配向膜ＡＬ２などを備えている。基体２０は、例えばポリイミド等の有機材料によって形成されている。基体２０は、第１基板ＳＵＢ１と対向する第１面２０Ａと、第１面２０Ａと反対側の第２面２０Ｂとを有している。
【００４０】
遮光層ＢＭ及びカラーフィルタＣＦは、基体２０の第１面２０Ａ側に位置している。遮光層ＢＭは、各画素ＰＸを区画する。図示した例では、遮光層ＢＭは、信号線Ｓの直上に位置している。カラーフィルタＣＦは、画素電極ＰＥと対向し、その一部が遮光層ＢＭに重なっている。カラーフィルタＣＦは、赤色カラーフィルタ、緑色カラーフィルタ、青色カラーフィルタなどを含む。オーバーコート層ＯＣは、カラーフィルタＣＦを覆っている。第２配向膜ＡＬ２は、オーバーコート層ＯＣを覆っている。
【００４１】
なお、カラーフィルタＣＦは、第１基板ＳＵＢ１に配置されてもよい。カラーフィルタＣＦは、４色以上のカラーフィルタを含んでいてもよい。白色を表示する画素には、白色のカラーフィルタが配置されてもよいし、無着色の樹脂材料が配置されてもよいし、カラーフィルタを配置せずにオーバーコート層ＯＣを配置してもよい。また、遮光層ＢＭは、オーバーコート層ＯＣ上に形成してもよい。
【００４２】
第１偏光板ＰＬ１を含む第１光学素子ＯＤ１は、第２面１０Ｂ側、すなわち基体１０と照明装置ＢＬとの間に位置している。第２偏光板ＰＬ２を含む第２光学素子ＯＤ２は、第２面２０Ｂ側に位置している。第１光学素子ＯＤ１及び第２光学素子ＯＤ２は、必要に応じて位相差板を含んでいてもよい。
【００４３】
なお、表示パネルＰＮＬは、基板主面に対して垂直な縦電界や、基板主面に対して斜め方向の電界、或いは、それらを組み合わせて利用する表示モードに対応した構成を有していてもよい。縦電界や斜め電界を利用する表示モードでは、例えば、第１基板ＳＵＢ１に画素電極ＰＥ及び共通電極ＣＥのいずれか一方が備えられ、第２基板ＳＵＢ２に画素電極ＰＥ及び共通電極ＣＥのいずれか他方が備えられた構成が適用可能である。
【００４４】
図４は、第２基板ＳＵＢ２が備える遮光層ＢＭの配置例を示す平面図である。
【００４５】
図４（ａ）に示す例では、遮光層ＢＭは、図において斜線で示すように、領域Ａ２、Ａ３、Ａ４、及びＡ５のほぼ全面に設けられている。領域Ａ１は、遮光層ＢＭによって覆われていない。このような構成においては、領域Ａ１と領域Ａ２、Ａ３、Ａ４、及びＡ５との境界は、遮光層ＢＭが設けられた領域と遮光層ＢＭが設けられていない領域との境界に相当する。折り曲げ線ＦＬ１、ＦＬ２、ＦＬ３、及びＦＬ４は、遮光層ＢＭの内周とほぼ重なるように位置している。ソースドライバＳＤ、ゲートドライバＧＤ１及びＧＤ２は、遮光層ＢＭの下方に位置し、そのすべてが遮光層ＢＭと重なっている。
【００４６】
図４（ｂ）に示す例では、遮光層ＢＭは、領域Ａ１を囲む枠状に形成されている。遮光層ＢＭの幅が十分に狭い場合、遮光層ＢＭを表示領域と非表示領域との境界とみなすことができる。折り曲げ線ＦＬ１、ＦＬ２、ＦＬ３、及びＦＬ４は、枠状の遮光層ＢＭとほぼ重なるように位置している。なお、遮光層ＢＭは、省略されてもよい。
【００４７】
本実施形態によれば、最外周に位置する画素ＰＸに沿って表示パネルＰＮＬが折り曲げられている。表示領域としての領域Ａ１は、第１方向Ｘに沿って延出した折り曲げ線ＦＬ１及びＦＬ３と、第２方向Ｙに沿って延出した折り曲げ線ＦＬ２及びＦＬ４とによって囲まれた領域に相当する。これにより、画素ＰＸは、折り曲げによって形成される表示パネルＰＮＬの主面のほぼ全面に配置される。一方、ソースドライバＳＤ、ゲートドライバＧＤ１及びＧＤ２は、側面に位置する。したがって、表示装置の狭額縁化が実現される。
【００４８】
さらに、領域Ａ２及びＡ４は、折り曲げ線ＦＬ２及びＦＬ４を越えず、領域Ａ３及びＡ５は、折り曲げ線ＦＬ１及びＦＬ３を越えていない。このような構成にすることで、領域Ａ２、Ａ３、Ａ４、及びＡ５が互いに干渉することなく、表示パネルＰＮＬを折り曲げることができる。
【００４９】
（第１変形例）
図５は、表示パネルＰＮＬの第１変形例を示す展開図である。第１変形例は、表示パネルＰＮＬが折り曲げ線ＦＬ１、ＦＬ２、ＦＬ３、及びＦＬ４に加え、折り曲げ線ＦＬ５、ＦＬ６、ＦＬ７、及びＦＬ８を備える点で、図２に示す例と相違している。
【００５０】
折り曲げ線ＦＬ５、ＦＬ６、ＦＬ７、及びＦＬ８は、いずれも山折りの折り曲げ線である。折り曲げ線ＦＬ５、ＦＬ６、ＦＬ７、及びＦＬ８は、領域Ａ２、Ａ３、Ａ４、及びＡ５にそれぞれ位置している。具体的には、折り曲げ線ＦＬ５は、折り曲げ線ＦＬ１と端部Ｅ２ａとの間で、第１方向Ｘに沿って延出している。折り曲げ線ＦＬ６は、折り曲げ線ＦＬ２と端部Ｅ３ａとの間で、第２方向Ｙに沿って延出している。折り曲げ線ＦＬ７は、折り曲げ線ＦＬ３と端部Ｅ４ａとの間で、第１方向Ｘに沿って延出している。折り曲げ線ＦＬ８は、折り曲げ線ＦＬ４と端部Ｅ５ａとの間で、第２方向Ｙに沿って延出している。
【００５１】
一例では、折り曲げ線ＦＬ５と折り曲げ線ＦＬ１との距離Ｌ１、折り曲げ線ＦＬ６と折り曲げ線ＦＬ２との距離Ｌ２、折り曲げ線ＦＬ７と折り曲げ線ＦＬ３との距離Ｌ３、及び折り曲げ線ＦＬ８と折り曲げ線ＦＬ４との距離Ｌ４は、ほぼ等しい。ここで、距離Ｌ１及びＬ３は、第２方向Ｙに沿った距離であり、距離Ｌ２及びＬ４は、第１方向Ｘに沿った距離である。
【００５２】
図示した例では、ソースドライバＳＤは、折り曲げ線ＦＬ５と端部Ｅ２ａとの間に位置している。また、ゲートドライバＧＤ１は、折り曲げ線ＦＬ６と端部Ｅ３ａとの間に位置し、ゲートドライバＧＤ２は、折り曲げ線ＦＬ８と端部Ｅ５ａとの間に位置している。
【００５３】
シールＳＥは、表示パネルＰＮＬの外周に沿って略八角形の枠状に設けられ、部分的に領域Ａ１と重なっている。すなわち、シールＳＥは、折り曲げ線ＦＬ１、ＦＬ２、ＦＬ３、ＦＬ４、ＦＬ５、ＦＬ６、ＦＬ７、及びＦＬ８とそれぞれ２回ずつ交差している。配線ＷＬ１は、ゲートドライバＧＤ１から実装部ＭＴ１に向かって延出し、折り曲げ線ＦＬ６、ＦＬ２、ＦＬ１及びＦＬ５と交差している。配線ＷＬ２は、ゲートドライバＧＤ２から実装部ＭＴ１に向かって延出し、折り曲げ線ＦＬ８、ＦＬ４、ＦＬ１及びＦＬ５と交差している。配線ＷＬ３は、いずれの折り曲げ線とも交差していない。
【００５４】
領域Ａ２は、端部Ｅ２ａ、Ｅ２ｂ、及びＥ２ｃに加え、端部Ｅ２ｄ及びＥ２ｅを有している。端部Ｅ２ｄは、端部Ｅ２ｂの延長線上に位置し、折り曲げ線ＦＬ１と折り曲げ線ＦＬ５との間に位置している。端部Ｅ２ｅは、端部Ｅ２ｃの延長線上に位置し、折り曲げ線ＦＬ１と折り曲げ線ＦＬ５との間に位置している。
【００５５】
領域Ａ３は、端部Ｅ３ａ、Ｅ３ｂ、及びＥ３ｃに加え、端部Ｅ３ｄ及びＥ３ｅを有している。端部Ｅ３ｄは、端部Ｅ３ｂの延長線上に位置し、折り曲げ線ＦＬ２と折り曲げ線ＦＬ６との間に位置している。端部Ｅ３ｅは、端部Ｅ３ｃの延長線上に位置し、折り曲げ線ＦＬ２と折り曲げ線ＦＬ６との間に位置している。
【００５６】
領域Ａ４及びＡ５の構成は、領域Ａ２及びＡ３と同様であるため、説明を省略する。
【００５７】
図６は、図５に示す表示パネルＰＮＬを折り曲げ線に沿って折り曲げた場合の斜視図である。図６（ａ）は、表示面側を示し、図６（ｂ）は、表示面と反対側を示している。
【００５８】
図６（ａ）及び６（ｂ）に示すように、表示パネルＰＮＬは、折り曲げ線ＦＬ５、ＦＬ６、ＦＬ７及びＦＬ８において、山折りに折り曲げられている。これにより、領域Ａ２、Ａ３、Ａ４、及びＡ５のうち、端部Ｅ２ａ、Ｅ３ａ、Ｅ４ａ及びＥ５ａを含む一部の領域は、領域Ａ１の背面側に位置し、領域Ａ１と対向する。一例では、ソースドライバＳＤとゲートドライバＧＤ１及びＧＤ２とは、領域Ａ１とほぼ平行な同一面内に位置している。図示した例では、実装部ＭＴ１に配線基板ＰＣ１が実装されている。配線基板ＰＣ１は、領域Ａ１と対向している。
【００５９】
表示パネルＰＮＬが折り曲げられた状態において、領域Ａ２、Ａ３、Ａ４及びＡ５は、重なっていない。すなわち、端部Ｅ２ａ、Ｅ３ａ、Ｅ４ａ及びＥ５ａは、互いに離間している。図示した例では、端部Ｅ２ｅと端部Ｅ３ｄとは、離間し、且つ互いに交差する方向に沿って延出している。端部Ｅ２ｃと端部Ｅ３ｂとは、離間し、且つ互いにほぼ平行な方向に沿って延出している。
【００６０】
図７は、図６に示すＡ−Ｂ線に沿った断面図である。図７は、第１方向Ｘ及び第３方向Ｚによって規定されるＸ−Ｚ平面と平行な面を示している。
【００６１】
図示した例では、領域Ａ３は、折り曲げ線ＦＬ２において、領域Ａ１に対して約９０度で折り曲げられている。さらに、領域Ａ３は、折り曲げ線ＦＬ６において、約９０度で折り曲げられている。また、領域Ａ５は、折り曲げ線ＦＬ４において、領域Ａ１に対して約９０度で折り曲げられている。さらに、領域Ａ５は、折り曲げ線ＦＬ８において、約９０度で折り曲げられている。これにより、端部Ｅ３ａ及びＥ５ａは、領域Ａ１の直下に位置している。また、折り曲げ線ＦＬ６と端部Ｅ３ａとの間に位置するゲートドライバＧＤ１、及び折り曲げ線ＦＬ８と端部Ｅ５ａとの間に位置するゲートドライバＧＤ２は、領域Ａ１の直下に位置している。なお、図示は省略するが、領域Ａ２及びＡ４も同様に折り曲げられる。なお、各折り曲げ線における折り曲げの角度は、９０度以外でもよい。また、各折り曲げ線において折り曲げの角度が異なっていてもよい。
【００６２】
図示した例では、領域Ａ１、Ａ３、及びＡ５によって囲まれる空間に、構造物ＯＢが配置されている。構造物ＯＢは、例えば照明装置でもよく、表示パネルＰＮＬを支持するための支持体でもよい。
【００６３】
第１変形例においても、図２に示す例と同様の効果を得ることができる。さらに、第１変形例によれば、ソースドライバＳＤ及びゲートドライバＧＤ１及びＧＤ２を領域Ａ１の直下に配置することができる。したがって、表示装置ＤＳＰの厚さを小さくすることができる。
【００６４】
（第２変形例）
図８は、表示パネルＰＮＬの第２変形例を示す展開図である。第２変形例は、端部Ｅ２ｄ及びＥ２ｅが第２方向Ｙに沿って延出し、端部Ｅ３ｄ及びＥ３ｅが第１方向Ｘに沿って延出している点で、第１変形例と相違している。
【００６５】
図示した例では、領域Ａ２おいて、端部Ｅ２ｄは、折り曲げ線ＦＬ４の延長線上に位置している。端部Ｅ２ｅは、折り曲げ線ＦＬ２の延長線上に位置している。領域Ａ３において、端部Ｅ３ｄは、折り曲げ線ＦＬ１の延長線上に位置している。端部Ｅ３ｅは、折り曲げ線ＦＬ３の延長線上に位置している。
【００６６】
端部Ｅ２ｄ及び端部Ｅ２ｅの第２方向Ｙに沿った長さと、端部Ｅ３ｄ及びＥ３ｅの第１方向Ｘに沿った長さは、ほぼ等しい。また、折り曲げ線ＦＬ１、ＦＬ３、ＦＬ５及びＦＬ７の長さは、ほぼ等しい。折り曲げ線ＦＬ２、ＦＬ４、ＦＬ６、及びＦＬ８の長さは、ほぼ等しい。
【００６７】
図９は、図８に示す表示パネルＰＮＬを折り曲げた場合の斜視図である。図９（ａ）は、表示面側を示し、図９（ｂ）は、表示面とは反対側を示している。
【００６８】
図９（ａ）に示すように、表示パネルＰＮＬが折り曲げられた状態では、端部Ｅ２ｅと端部Ｅ３ｄとは、互いに隣り合い、ほぼ平行に対向している。図示した例では、端部Ｅ２ｅと端部Ｅ３ｄとは、第３方向Ｚに沿って延出している。また、図９（ｂ）に示すように、端部Ｅ２ｃと端部Ｅ３ｂとは、互いに隣り合い、ほぼ平行に対向している。図示した例では、端部Ｅ２ｃと端部Ｅ３ｂとは、Ｘ−Ｙ平面と平行な同一面に位置している。
【００６９】
図９（ｂ）に示す例では、図６（ｂ）に示す例と比較して、領域Ａ２、Ａ３、Ａ４、及びＡ５は、互いに近接している。なお、図９（ｂ）において、領域Ａ２、Ａ３、Ａ４、及びＡ５は、互いに重なっていないが、重なっていてもよい。第２変形例においても、第１変形例と同様の効果を得ることができる。
【００７０】
（第３変形例）
図１０は、表示パネルＰＮＬの第３変形例を示す展開図である。第３変形例は、表示パネルＰＮＬが実装部ＭＴ１に加え、実装部ＭＴ２及びＭＴ３を有している点で、第２変形例と相違している。実装部ＭＴ２及びＭＴ３は、実装部ＭＴ１と同様に、複数の端子ＴＥを備えている。
【００７１】
実装部ＭＴ２は、領域Ａ３に位置している。実装部ＭＴ２は、第１基板ＳＵＢ１のうち第２方向Ｙに沿って第２基板ＳＵＢ２より延出した領域に相当する。図示した例では、実装部ＭＴ２は、端部Ｅ３ａに沿って設けられている。ゲートドライバＧＤ１に接続された配線ＷＬ１は、端部Ｅ３ａに向かって延出している。すなわち、配線ＷＬ１は、折り曲げ線ＦＬ２及びＦＬ６と交差することなく、実装部ＭＴ２が備える端子ＴＥに接続されている。
【００７２】
実装部ＭＴ３は、領域Ａ５に位置している。実装部ＭＴ３は、第１基板ＳＵＢ１のうち第２方向Ｙに沿って第２基板ＳＵＢ２より延出した領域に相当する。図示した例では、実装部ＭＴ３は、端部Ｅ５ａに沿って設けられている。ゲートドライバＧＤ２に接続された配線ＷＬ２は、端部Ｅ５ａに向かって延出している。すなわち、配線ＷＬ２は、折り曲げ線ＦＬ４及びＦＬ８と交差することなく、実装部ＭＴ３が備える端子ＴＥに接続されている。
【００７３】
図１１は、図１０に示す表示パネルＰＮＬを折り曲げた場合の斜視図である。図１１（ａ）は、表示面側を示し、図１１（ｂ）は、表示面とは反対側を示している。
【００７４】
図１１（ａ）に示すように、表示面側には、配線ＷＬ１及びＷＬ２は、配置されていない。図示した例では、シールＳＥは、表示面側に位置している。
【００７５】
図１１（ｂ）に示す例では、実装部ＭＴ１に配線基板ＰＣ１が実装され、実装部ＭＴ２に配線基板ＰＣ２が実装され、実装部ＭＴ３に配線基板ＰＣ３が実装されている。配線基板ＰＣ２及びＰＣ３は、配線基板ＰＣ１と同様に、可撓性を有するフレキシブル基板である。なお、表示パネルＰＮＬを折り曲げた後に配線基板を実装する場合は、実装部ＭＴ１、ＭＴ２、及びＭＴ３に、単一の配線基板が実装されてもよい。
【００７６】
第３変形例によれば、配線ＷＬ１及びＷＬ２は、領域Ａ１を通ることなく、外部装置と接続することができる。したがって、表示に寄与する領域の減少を抑制することができ、さらなる狭額縁化が可能になる。
【００７７】
（第４変形例）
図１２は、表示パネルＰＮＬの第４変形例を示す展開図である。第４変形例は、領域Ａ２、Ａ３、Ａ４、及びＡ５が予備表示領域Ｂ２、Ｂ３、Ｂ４、Ｂ５を有している点で、第２変形例と相違している。
【００７８】
予備表示領域Ｂ２、Ｂ３、Ｂ４、及びＢ５は、領域Ａ１と同様に複数の画素ＰＸを備えている。予備表示領域Ｂ２、Ｂ３、Ｂ４、及びＢ５において、画素ＰＸは、第１方向Ｘ及び第２方向Ｙに沿って配置されている。図示した例では、予備表示領域Ｂ２、Ｂ３、Ｂ４、Ｂ５は、矩形状である。折り曲げ線ＦＬ１は、領域Ａ１と予備表示領域Ｂ２との間に位置している。折り曲げ線ＦＬ２は、領域Ａ１と予備表示領域Ｂ３との間に位置している。折り曲げ線ＦＬ３は、領域Ａ１と予備表示領域Ｂ４との間に位置している。折り曲げ線ＦＬ４は、領域Ａ１と予備表示領域Ｂ５との間に位置している。換言すると、折り曲げ線ＦＬ１、ＦＬ２、ＦＬ３、及びＦＬ４は、表示領域内に位置しているとみなすことができる。
【００７９】
図示した例では、予備表示領域Ｂ２は、折り曲げ線ＦＬ１と折り曲げ線ＦＬ５との間に位置し、且つ、折り曲げ線ＦＬ５より折り曲げ線ＦＬ１に近接している。予備表示領域Ｂ３は、折り曲げ線ＦＬ２と折り曲げ線ＦＬ６との間に位置し、且つ、折り曲げ線ＦＬ６より折り曲げ線ＦＬ２に近接している。予備表示領域Ｂ４は、折り曲げ線ＦＬ３と折り曲げ線ＦＬ７との間に位置し、且つ、折り曲げ線ＦＬ７より折り曲げ線ＦＬ３に近接している。予備表示領域Ｂ５は、折り曲げ線ＦＬ４と折り曲げ線ＦＬ８との間に位置し、且つ、折り曲げ線ＦＬ８より折り曲げ線ＦＬ４に近接している。なお、予備表示領域Ｂ２、Ｂ３、Ｂ４、及びＢ５において、各画素ＰＸは、折り曲げ線ＦＬ１、ＦＬ２、ＦＬ３、及びＦＬ４側と同様に折り曲げ線ＦＬ５、ＦＬ６、ＦＬ７、ＦＬ８に近接していてもよい。
【００８０】
第５変形例においても、第２変形例と同様の効果を得ることができる。さらに、領域Ａ２、Ａ３、Ａ４、及びＡ５に画素ＰＸを配置することで、折り曲げ線ＦＬ１、ＦＬ２、ＦＬ３、及びＦＬ４の位置合わせの精度に応じて、表示領域の範囲を調整することができる。
【００８１】
（第５変形例）
図１３は、表示パネルＰＮＬの第５変形例を示す展開図である。第５変形例は、表示パネルＰＮＬが矩形状である点で、図２に示す例と相違している。
【００８２】
表示パネルＰＮＬは、一例では、長方形状である。表示パネルＰＮＬは、領域Ａ１乃至Ａ５に加え、領域Ａ６、Ａ７、Ａ８、及びＡ９を有している。領域Ａ２と領域Ａ４とは、同形状であり、領域Ａ３と領域Ａ５とは、同形状である。図示した例では、領域Ａ２と領域Ａ４とは、第１方向Ｘに沿った辺の長さが第２方向Ｙに沿った辺の長さより大きい長方形状である。領域Ａ３と領域Ａ５とは、第１方向Ｘに沿った辺の長さが第２方向Ｙに沿った辺の長さより小さい長方形状である。
【００８３】
領域Ａ６、Ａ７、Ａ８、及びＡ９は、同じ面積を有する正方形状である。領域Ａ６は、領域Ａ２と領域Ａ３とに隣接している。領域Ａ７は、領域Ａ３と領域Ａ４とに隣接している。領域Ａ８は、領域Ａ４と領域Ａ５とに隣接している。領域Ａ９は、領域Ａ５と領域Ａ２とに隣接している。
【００８４】
表示パネルＰＮＬは、折り曲げ線ＦＬ１、ＦＬ２、ＦＬ３、及びＦＬ４に加え、折り曲げ線ＦＬ９、ＦＬ１０、ＦＬ１１、ＦＬ１２、ＦＬ１３、ＦＬ１４、ＦＬ１５、及びＦＬ１６を有している。折り曲げ線ＦＬ９は、領域Ａ６と領域Ａ２との境界に位置している。折り曲げ線ＦＬ１０は、領域Ａ６と領域Ａ３との境界に位置している。折り曲げ線ＦＬ１１は、領域Ａ７と領域Ａ３との境界に位置している。折り曲げ線ＦＬ１２は、領域Ａ７と領域Ａ４との境界に位置している。折り曲げ線ＦＬ１３は、領域Ａ８と領域Ａ４との境界に位置している。折り曲げ線ＦＬ１４は、領域Ａ８と領域Ａ５との境界に位置している。折り曲げ線ＦＬ１５は、領域Ａ９と領域Ａ５との境界に位置している。折り曲げ線ＦＬ１６は、領域Ａ９と領域Ａ２との境界に位置している。
【００８５】
図示した例では、折り曲げ線ＦＬ１０及びＦＬ１５は、折り曲げ線ＦＬ１の延長線上に位置している。折り曲げ線ＦＬ９及びＦＬ１２は、折り曲げ線ＦＬ２の延長線上に位置している。折り曲げ線ＦＬ１１及びＦＬ１４は、折り曲げ線ＦＬ３の延長線上に位置している。折り曲げ線ＦＬ１３及びＦＬ１６は、折り曲げ線ＦＬ４の延長線上に位置している。一例では、折り曲げ線ＦＬ９、ＦＬ１２、ＦＬ１３、及びＦＬ１６は、山折りの折り曲げ線であり、折り曲げ線ＦＬ１０、ＦＬ１１、ＦＬ１４、及びＦＬ１５は、谷折りの折り曲げ線である。
【００８６】
さらに、表示パネルＰＮＬは、領域Ａ６、Ａ７、Ａ８、及びＡ９において、折り曲げ線ＦＬ１７、ＦＬ１８、ＦＬ１９、及びＦＬ２０を有している。折り曲げ線ＦＬ１７は、折り曲げ線ＦＬ１と折り曲げ線ＦＬ２の交差部ＣＰ１から、表示パネルＰＮＬの頂点Ｖ１に向かって直線状に延出している。折り曲げ線ＦＬ１８は、折り曲げ線ＦＬ２と折り曲げ線ＦＬ３の交差部ＣＰ２から、表示パネルＰＮＬの頂点Ｖ２に向かって直線状に延出している。折り曲げ線ＦＬ１９は、折り曲げ線ＦＬ３と折り曲げ線ＦＬ４の交差部ＣＰ３から、表示パネルＰＮＬの頂点Ｖ３に向かって直線状に延出している。折り曲げ線ＦＬ２０は、折り曲げ線ＦＬ４と折り曲げ線ＦＬ１の交差部ＣＰ４から、表示パネルＰＮＬの頂点Ｖ４に向かって直線状に延出している。折り曲げ線ＦＬ１７、ＦＬ１８、ＦＬ１９、及びＦＬ２０は、いずれも山折りの折り曲げ線である。
【００８７】
ここで、頂点Ｖ１は、一例では、領域Ａ６の第１方向Ｘに沿って延出した端部Ｅ６ａと、領域Ａ６の第２方向Ｙに沿って延出した端部Ｅ６ｂとの交点に相当する。同様に、頂点Ｖ２は、領域Ａ７の第１方向Ｘに沿って延出した端部Ｅ７ａと、領域Ａ７の第２方向Ｙに沿って延出した端部Ｅ７ｂとの交点に相当する。頂点Ｖ３は、領域Ａ８の第１方向Ｘに沿って延出した端部Ｅ８ａと、領域Ａ８の第２方向Ｙに沿って延出した端部Ｅ８ｂとの交点に相当する。頂点Ｖ４は、領域Ａ９の第１方向Ｘに沿って延出した端部Ｅ９ａと、領域Ａ９の第２方向Ｙに沿って延出した端部Ｅ９ｂとの交点に相当する。
【００８８】
シールＳＥは、領域Ａ６、Ａ７、Ａ８、及びＡ９には配置されていない。具体的には、シールＳＥは、領域Ａ２、Ａ３、Ａ４、及びＡ５に位置するとともに、交差部ＣＰ１、ＣＰ２、ＣＰ３、及びＣＰ４の内側を通り、領域Ａ１に配置されている。換言すると、シールＳＥは、折り曲げ線ＦＬ１、ＦＬ２、ＦＬ３、及びＦＬ４と２回ずつ交差している。
【００８９】
また、配線ＷＬ１及びＷＬ２は、シールＳＥと同様に、領域Ａ６及びＡ９に配置されていない。図示した例では、配線ＷＬ１及びＷＬ２は、シールＳＥに沿って、シールＳＥの内側に位置している。すなわち、配線ＷＬ１は、領域Ａ３から領域Ａ１を通って領域Ａ２へ延出している。配線ＷＬ２は、領域Ａ５から領域Ａ１を通って領域Ａ２へ延出している。配線ＷＬ１は、折り曲げ線ＦＬ２及びＦＬ１と交差し、配線ＷＬ２は、折り曲げ線ＦＬ４及びＦＬ２と交差している。
【００９０】
図１４は、図１３に示す表示パネルを折り曲げた場合の斜視図である。ここでは、領域Ａ６の近傍について説明する。領域Ａ７、Ａ８、及びＡ９の近傍についても同様であるため、説明を省略する。
【００９１】
折り曲げ線ＦＬ９は、第３方向Ｚに沿って延出している。折り曲げ線ＦＬ９は、図１３に示す折り曲げ線ＦＬ１０と重なっている。領域Ａ６は、折り曲げ線ＦＬ９、折り曲げ線ＦＬ１７、及び端部Ｅ６ａによって規定される直角三角形状の領域に折り畳まれている。図示した例では、領域Ａ６は、領域Ａ３に沿って配置されている。端部Ｅ６ａは、端部Ｅ３ａと重なっている。図示した例では、領域Ａ３において、ゲートドライバＧＤ１及びシールＳＥの一部は、領域Ａ６と重なっている。なお、領域Ａ６は、領域Ａ２に沿って配置されてもよい。この場合、図１３に示す折り曲げ線ＦＬ９は、谷折りの折り曲げ線であり、折り曲げ線ＦＬ１０は、山折りの折り曲げ線である。
【００９２】
図１５は、図１３に示すＣ−Ｄ線に沿った断面を模式的に示す図である。ここでは、説明に必要な要素のみを示し、絶縁層などの一部を省略している。
【００９３】
表示パネルＰＮＬは、基体１０、基体２０、絶縁層１１１、絶縁層１１２、絶縁層１２、シールＳＥ、液晶層ＬＣ、及びスペーサＰＳを備えている。絶縁層１１１及び絶縁層１１２は、図３に示す絶縁層１１に相当する。
【００９４】
表示パネルＰＮＬは、領域Ａ３において、ゲートドライバＧＤ１を構成する薄膜トランジスタＴＲを備えている。薄膜トランジスタＴＲは、半導体層ＳＣ、ゲート電極ＷＧ、ソース電極ＷＳ、及びドレイン電極ＷＤを備えている。図示した例では、半導体層ＳＣは、基体１０の上に形成され、絶縁層１１１によって覆われている。ゲート電極ＷＧは、絶縁層１１１の上に形成され、絶縁層１１２によって覆われている。ソース電極ＷＳ及びドレイン電極ＷＤは、絶縁層１１２の上に形成され、絶縁層１２によって覆われている。ソース電極ＷＳ及びドレイン電極ＷＤは、絶縁層１１２に設けられたコンタクトホールにおいて、半導体層ＳＣに接している。
【００９５】
表示パネルＰＮＬは、領域Ａ２において、配線ＷＬ１を備えている。配線ＷＬ１は、ゲートドライバＧＤ１と電気的に接続されている。一例では、配線ＷＬ１は、薄膜トランジスタＴＲのソース電極ＷＳ及びドレイン電極ＷＤと同層に形成されている。すなわち、配線ＷＬ１は、絶縁層１１２の上に形成され、絶縁層１２によって覆われている。図示した例では、配線ＷＬ１は、直下に位置する導電層ＣＬと電気的に接続されている。導電層ＣＬは、ゲート電極ＷＧと同層に形成されている。すなわち、導電層ＣＬは、絶縁層１１１の上に形成され、絶縁層１１２によって覆われている。配線ＷＬ１は、絶縁層１１２に形成されたコンタクトホールにおいて、導電層ＣＬと接している。
【００９６】
図示した例では、液晶層ＬＣは、領域Ａ２及びＡ３において、シールＳＥとシールＳＥとの間に位置している。液晶層ＬＣは、領域Ａ６には位置していない。
【００９７】
以上のように形成された表示パネルＰＮＬは、折り曲げ線ＦＬ９において、山折りで約９０度折り曲げられている。表示パネルＰＮＬは、折り曲げ線ＦＬ１７において、山折りで約１８０度折り曲げられている。表示パネルＰＮＬは、折り曲げ線ＦＬ１０において、谷折りで約１８０度折り曲げられている。
【００９８】
上述したように、シールＳＥ、液晶層ＬＣ、配線ＷＬ１、及びゲートドライバＧＤ１は、領域Ａ６に設けられていない。換言すると、シールＳＥ、液晶層ＬＣ、配線ＷＬ１、及びゲートドライバＧＤ１は、表示パネルＰＮＬが１８０度折り曲げられる領域には位置していない。一方、図示した例では、絶縁層１１及び１２とスペーサＰＳとは、領域Ａ２、領域Ａ６、及び領域Ａ３に亘って、すなわち端部Ｅ２ａから端部Ｅ３ａまでの全体に亘って形成されている。
【００９９】
第５変形例においても、図２に示す例と同様の効果を得ることができる。さらに、領域Ａ２と領域Ａ３、領域Ａ３と領域Ａ４、領域Ａ４と領域Ａ５、及び領域Ａ５と領域Ａ２を繋ぐ領域Ａ６、Ａ７、Ａ８、Ａ９を有しているため、表示パネルＰＮＬを折り曲げた状態を保持することが容易になる。
【０１００】
（第６変形例）
図１６は、表示パネルＰＮＬの第６変形例を示す展開図である。第６変形例は、領域Ａ２乃至Ａ９に複数の折り曲げ線が位置している点で、第５変形例と相違している。
【０１０１】
領域Ａ２、Ａ３、Ａ４、及びＡ５は、第１変形例と同様に、折り曲げ線ＦＬ５、ＦＬ６、ＦＬ７、及びＦＬ８を有している。
【０１０２】
さらに、領域Ａ２は、折り曲げ線ＦＬ５に加えて、折り曲げ線ＦＬ２１及びＦＬ２２を有している。折り曲げ線ＦＬ２１は、折り曲げ線ＦＬ５の一端から端部Ｅ２ａへ向かって延出している。端部Ｅ２ａと折り曲げ線ＦＬ２１との交点は、折り曲げ線ＦＬ５と折り曲げ線ＦＬ２１との交点より領域Ａ９から離間している。折り曲げ線ＦＬ２２は、折り曲げ線ＦＬ５の他端から端部Ｅ２ａへ向かって延出している。端部Ｅ２ａと折り曲げ線ＦＬ２２との交点は、折り曲げ線ＦＬ５と折り曲げ線ＦＬ２２との交点より領域Ａ６から離間している。折り曲げ線ＦＬ２１及びＦＬ２２は、いずれも谷折りの折り曲げ線である。
【０１０３】
領域Ａ４は、折り曲げ線ＦＬ７に加えて、折り曲げ線ＦＬ２３及びＦＬ２４を有している。折り曲げ線ＦＬ２３は、折り曲げ線ＦＬ７の一端から端部Ｅ４ａへ向かって延出している。端部Ｅ４ａと折り曲げ線ＦＬ２３との交点は、折り曲げ線ＦＬ７と折り曲げ線ＦＬ２３との交点より領域Ａ８から離間している。折り曲げ線ＦＬ２４は、折り曲げ線ＦＬ７の他端から端部Ｅ４ａへ向かって延出している。端部Ｅ４ａと折り曲げ線ＦＬ２４との交点は、折り曲げ線ＦＬ７と折り曲げ線ＦＬ２４との交点より領域Ａ７から離間している。折り曲げ線ＦＬ２３及びＦＬ２４は、いずれも谷折りの折り曲げ線である。
【０１０４】
領域Ａ６は、折り曲げ線ＦＬ１７に加えて、折り曲げ線ＦＬ２５及びＦＬ２６を有している。折り曲げ線ＦＬ２５は、折り曲げ線ＦＬ９と折り曲げ線ＦＬ１７との間において、折り曲げ線ＦＬ５の延長線上に位置している。折り曲げ線ＦＬ２６は、折り曲げ線ＦＬ１０と折り曲げ線ＦＬ１７との間で、折り曲げ線ＦＬ６の延長線上に位置している。折り曲げ線ＦＬ２５と折り曲げ線ＦＬ２６との交点は、折り曲げ線ＦＬ１７上に位置している。領域Ａ７、Ａ８、及びＡ９における折り曲げ線の配置は、領域Ａ６における折り曲げ線ＦＬ２５及びＦＬ２６の配置と同様であるため、説明を省略する。ただし、領域Ａ７、Ａ８、及びＡ９における折り曲げ線の配置は、折り曲げ線ＦＬ２５及びＦＬ２６の配置に対してそれぞれ９０、１８０、及び２７０度回転している。
【０１０５】
シールＳＥは、領域Ａ２において、折り曲げ線ＦＬ２１及びＦＬ２２の内側に位置している。すなわち、シールＳＥは、領域Ａ２において、折り曲げ線ＦＬ５とのみ交差している。また、シールＳＥは、領域Ａ４において、折り曲げ線ＦＬ２３及びＦＬ２４の内側に位置している。すなわち、シールＳＥは、領域Ａ４において、折り曲げ線ＦＬ７とのみ交差している。
【０１０６】
図１７は、図１６に示す表示パネルＰＮＬを折り曲げた場合の斜視図である。図１７（ａ）は、表示面側を示し、図１７（ｂ）は、表示面と反対側を示している。
【０１０７】
表示パネルＰＮＬは、図１４に示す第５変形例と同様に折り曲げられた後、さらに谷折りの折り曲げ線ＦＬ２１及びＦＬ１２に沿って領域Ａ２が折り曲げられ、谷折りの折り曲げ線ＦＬ２３及びＦＬ２４に沿って領域Ａ４が折り曲げられている。これにより、図１７（ｂ）に示すように、領域Ａ２、Ａ３、Ａ４、及びＡ５のうち、端部Ｅ２ａ、Ｅ３ａ、Ｅ４ａ及びＥ５ａを含む一部の領域は、領域Ａ１の背面側において領域Ａ１と対向する。ソースドライバＳＤとゲートドライバＧＤ１及びＧＤ２は、領域Ａ１とほぼ平行な同一面内に位置している。
【０１０８】
図示した例では、領域Ａ３は、領域Ａ２及びＡ４と重なっている。また、領域Ａ５は、領域Ａ２及びＡ４と重なっている。すなわち、端部Ｅ３ａと端部Ｅ５ａとは、領域Ａ２及びＡ４と重なっている。
【０１０９】
さらに、領域Ａ６、Ａ７、Ａ８、及びＡ９の一部は、領域Ａ１と対向している。領域Ａ６は、領域Ａ２及びＡ３と重なっている。領域Ａ７は、領域Ａ３及びＡ４と重なっている。領域Ａ８は、領域Ａ４及びＡ５と重なっている。領域Ａ９は、領域Ａ５及びＡ２と重なっている。図１６に示す端部Ｅ６ａ、Ｅ７ａ、Ｅ８ａ及びＥ９ａは、図１７（ｂ）に示す例では、第２方向Ｙに沿って延出している。一例では、端部Ｅ６ａ及びＥ７ａは、端部Ｅ３ａと重なっている。端部Ｅ８ａ及びＥ９ａは、端部Ｅ５ａと重なっている。図示した例では、領域Ａ６と領域Ａ７とは、ゲートドライバＧＤ１と重なっている。領域Ａ８と領域Ａ９とは、ゲートドライバＧＤ２と重なっている。
【０１１０】
第６変形例においても、第５変形例と同様の効果を得ることができる。さらに、ソースドライバＳＤ及びゲートドライバＧＤ１及びＧＤ２が領域Ａ１の直下に配置されているため、表示装置ＤＳＰの厚さを小さくすることができる。
【０１１１】
（第７変形例）
図１８は、表示パネルＰＮＬの第７変形例を示す展開図である。図１８は、領域Ａ６を拡大して示している。第７変形例は、表示パネルＰＮＬが開口ＯＰを有している点で、第６変形例と相違している。
【０１１２】
開口ＯＰは、折り曲げ線ＦＬ１と折り曲げ線ＦＬ２とが交差する交差部ＣＰ１に設けられている。シールＳＥは、開口ＯＰよりも内側に位置している。開口ＯＰは、少なくとも図３に示す基体１０及び２０に形成されている。なお、領域Ａ７、Ａ８、及びＡ９についても同様の構成である。
【０１１３】
第７変形例においても、第６変形例と同様の効果を得ることができる。さらに、第７変形例によれば、交差部ＣＰ１に開口を設けることで、交差部ＣＰ１において折り曲げによる応力の集中を抑制することができる。したがって、表示パネルＰＮＬの折り曲げが容易になる。
【０１１４】
（第８変形例）
図１９は、表示パネルＰＮＬの第８変形例を示す展開図である。第８変形例は、シールＳＥと配線ＷＬ１及びＷＬ２とが領域Ａ１に位置していない点で、第５変形例と相違している。
【０１１５】
シールＳＥは、領域Ａ２乃至Ａ９を通る枠状に設けられている。すなわち、シールＳＥは、折り曲げ線ＦＬ１乃至ＦＬ４と交差していないが、折り曲げ線ＦＬ９乃至ＦＬ２０と交差している。図示した例では、シールＳＥは、表示パネルＰＮＬの外周に沿って、略長方形の枠状に設けられている。
【０１１６】
配線ＷＬ１は、ゲートドライバＧＤ１から領域Ａ６を通って領域Ａ２へ延出している。すなわち、配線ＷＬ１は、折り曲げ線ＦＬ１０、ＦＬ１７、及びＦＬ９と交差している。配線ＷＬ１は、領域Ａ６において、シールＳＥの内側に位置している。配線ＷＬ２は、ゲートドライバＧＤ２から領域Ａ９を通って領域Ａ２へ延出している。すなわち、配線ＷＬ２は、折り曲げ線ＦＬ１５、ＦＬ２０、及びＦＬ１６と交差している。配線ＷＬ２は、領域Ａ９において、シールＳＥの内側に位置している。
【０１１７】
図２０は、図１９に示す領域Ａ６を拡大して示す平面図である。ここでは、配線ＷＬ１及びシールＳＥは、図示を省略している。
【０１１８】
領域Ａ６には、複数の配線ＷＬ４（ＷＬ４ａ、ＷＬ４ｂ、ＷＬ４ｃ、・・・）が形成されている。このような配線ＷＬ４は、各々が異種信号を供給する場合がある。すなわち、配線ＷＬ４ａの電位と配線ＷＬ４ｂの電位とが異なる場合がある。配線ＷＬ４は、領域Ａ６において、折り曲げ線ＦＬ１７の延出方向に沿って間隔をおいて並んでいる。図示した例では、配線ＷＬ４は、隣り合う配線と平行に配置されている。換言すると、配線ＷＬ４ａと配線ＷＬ４ｂとは、折り曲げ線ＦＬ１７と重なる領域において交差していない。つまり、表示パネルＰＮＬが１８０度折り曲げられる領域において、配線ＷＬ４ａと配線ＷＬ４ｂとの積層構造は、形成されていない。
【０１１９】
図２１は、図１９に示すＥ−Ｆ線に沿った断面図である。ここでは、説明に必要な要素のみを示し、絶縁層等の一部を省略している。
【０１２０】
表示パネルＰＮＬは、基板１０、基体２０、絶縁層１１１、絶縁層１１２、絶縁層１２、シールＳＥ、液晶層ＬＣ、スペーサＰＳ、及び配線ＷＬ１に加え、絶縁層１４を備えている。
【０１２１】
図示した例では、絶縁層１４は、端部Ｅ２ａと端部Ｅ３ａとの間の全体に亘って、絶縁層１１２と絶縁層１２との間に位置している。絶縁層１４は、例えばポリイミド等の有機材料によって形成されている。なお、絶縁層１４は、少なくとも折り曲げ線ＦＬ９、ＦＬ１７、及びＦＬ１０と重なる領域において設けられていればよい。
【０１２２】
配線ＷＬ１は、領域Ａ３から領域Ａ６を通って領域Ａ２まで延出している。すなわち、配線ＷＬ１は、折り曲げ線ＦＬ１０、ＦＬ１７、及びＦＬ９と交差している。図示した例では、配線ＷＬ１は、領域Ａ３、Ａ６、及びＡ２に亘って、絶縁層１４の上に形成され、絶縁層１２によって覆われている。すなわち、配線ＷＬ１は、コンタクトホールが形成された領域を除いて、その全体が有機材料と接している。
【０１２３】
第８変形例によれば、配線ＷＬ１及びＷＬ２と、シールＳＥが領域Ａ１に位置していない。このため、さらに、表示装置ＤＳＰの狭額縁化が可能になる。また、配線ＷＬ１は、有機材料からなる絶縁層１２と絶縁層１４との間に位置している。したがって、表示パネルＰＮＬが１８０度折り曲げられる場合であっても、配線ＷＬ１の断線を抑制することができる。さらに、領域Ａ６に配置された複数の配線ＷＬ４は、少なくとも折り曲げ線ＦＬ１７上において、互いに重なっていない。したがって、１８０度に折り曲げられる領域における応力の集中を緩和することができる。
【０１２４】
（第９変形例）
図２２は、表示パネルＰＮＬの第９変形例を示す断面図である。第９変形例は、表示パネルＰＮＬが表示素子として有機ＥＬ素子を備えている点で、図３に示す例と相違している。
【０１２５】
図１５は、図２に示す領域Ａ１の断面図である。表示パネルＰＮＬは、第１基板ＳＵＢ１と、第２基板ＳＵＢ２とによって構成されている。図示した例では、第１基板ＳＵＢ１の下に、保護部材ＰＰが設けられている。
【０１２６】
第１基板ＳＵＢ１は、基体３０、スイッチング素子ＳＷ（ＳＷ１、ＳＷ２、ＳＷ３）、反射層ＲＬ、有機ＥＬ素子ＯＬＥＤ（ＯＬＥＤ１、ＯＬＥＤ２、ＯＬＥＤ３）、保護部材ＰＰ等を備えている。
【０１２７】
基体３０は、例えばポリイミド等の有機絶縁材料を用いて形成されている。絶縁層３１は、基体３０の上に形成されている。絶縁層３１は、基体３０から有機ＥＬ素子ＯＬＥＤへ向かう水分等の侵入を抑制するためのバリア層を含んでいてもよい。なお、絶縁層３１は、省略されてもよい。
【０１２８】
スイッチング素子ＳＷは、絶縁層３１の上に形成されている。スイッチング素子ＳＷは、例えば薄膜トランジスタ（ＴＦＴ；thin-film-transistor）により構成されている。図示した例では、スイッチング素子ＳＷはトップゲート型であるが、ボトムゲート型であってもよい。以下では、スイッチング素子ＳＷ１を例として、その構成を説明する。
【０１２９】
スイッチング素子ＳＷ１は、半導体層ＳＣ、ゲート電極ＷＧ、ソース電極ＷＳ、及び、ドレイン電極ＷＤを備えている。
【０１３０】
半導体層ＳＣは、絶縁層３１の上に形成され、絶縁層３２により覆われている。ゲート電極ＷＧは、絶縁層３２の上に形成され、絶縁層３３により覆われている。ソース電極ＷＳ及びドレイン電極ＷＤは、それぞれ絶縁層３３の上に形成されている。ソース電極ＷＳ及びドレイン電極ＷＤは、絶縁層３３を半導体層ＳＣまで貫通するコンタクトホールにおいて、半導体層ＳＣにそれぞれ接触している。
【０１３１】
ゲート電極ＷＧは、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金などによって形成され、単層構造であってもよいし、多層構造であってもよい。ソース電極ＷＳ及びドレイン電極ＷＤを形成する材料は、上記の金属材料が適用可能である。絶縁層３１乃至３３は、酸化シリコン、窒化シリコン、酸窒化シリコン等の無機絶縁材料により形成されている。
【０１３２】
スイッチング素子ＳＷ１は、絶縁層３４により覆われている。絶縁層３４は、例えば透明な樹脂等の有機絶縁材料により形成されている。
【０１３３】
有機ＥＬ素子ＯＬＥＤは、絶縁層３４の上に形成されている。図示した例では、有機ＥＬ素子ＯＬＥＤは、基体３０とは反対側に光を出射する所謂トップエミッションタイプであるが、この例に限らず、基体３０の側に光を出射する所謂ボトムエミッションタイプであってもよい。有機ＥＬ素子ＯＬＥＤ１はスイッチング素子ＳＷ１と電気的に接続され、有機ＥＬ素子ＯＬＥＤ２はスイッチング素子ＳＷ２と電気的に接続され、有機ＥＬ素子ＯＬＥＤ３はスイッチング素子ＳＷ３と電気的に接続されている。このような有機ＥＬ素子ＯＬＥＤ１乃至ＯＬＥＤ３は、いずれも同一構造である。以下では、有機ＥＬ素子ＯＬＥＤ１を例として、その構成を説明する。
【０１３４】
有機ＥＬ素子ＯＬＥＤ１は、画素電極ＰＥ１、共通電極ＣＥ、及び有機発光層ＯＲＧ１により構成されている。
【０１３５】
画素電極ＰＥ１は、絶縁層３４の上に設けられている。画素電極ＰＥ１は、有機ＥＬ素子ＯＬＥＤ１の例えば陽極として機能する。画素電極ＰＥ１は、絶縁層３４内に設けられたコンタクトホールにおいて、スイッチング素子ＳＷ１のドレイン電極ＷＤと接触し、スイッチング素子ＳＷ１と電気的に接続されている。有機発光層ＯＲＧ１は、画素電極ＰＥ１の上に形成されている。有機発光層ＯＲＧ１は、発光効率を向上するために、電子注入層、正孔注入層、電子輸送層、正孔輸送層等をさらに含んでいてもよい。共通電極ＣＥは、有機発光層ＯＲＧ１の上に形成されている。共通電極ＣＥは、有機ＥＬ素子ＯＬＥＤ１の例えば陰極として機能する。共通電極ＣＥと画素電極ＰＥとは、例えばインジウム・ティン・オキサイド（ＩＴＯ）やインジウム・ジンク・オキサイド（ＩＺＯ）等の透明な導電材料によって形成されている。以上のように構成された有機ＥＬ素子ＯＬＥＤ１は、画素電極ＰＥ１と共通電極ＣＥとの間に印加される電圧（あるいは電流）に応じた輝度で発光する。
【０１３６】
なお、図１５に示すように、トップエミッションタイプの場合には、有機ＥＬ素子ＯＬＥＤ１は、絶縁層３４と画素電極ＰＥ１との間に反射層ＲＬを含んでいることが望ましい。反射層ＲＬは、例えばアルミニウム、銀等の反射率の高い金属材料により形成されている。なお、反射層ＲＬの反射面、すなわち有機発光層ＯＲＧ１側の面は、図示したように平坦であってもよいし、光散乱性を付与するために凹凸が形成されていてもよい。
【０１３７】
一例では、有機ＥＬ素子ＯＬＥＤ１備える有機発光層ＯＲＧ１は、青色の発光し、有機ＥＬ素子ＯＬＥＤ２が備える有機発光層ＯＲＧ２は、緑色に発光し、有機ＥＬ素子ＯＬＥＤ３が備える有機発光層ＯＲＧ３は、赤色に発光する。各有機ＥＬ素子ＯＬＥＤは、有機絶縁材料からなる絶縁層（リブ）３５により区画されている。すなわち、有機発光層ＯＲＧ１、ＯＲＧ２、及びＯＲＧ３は、絶縁層３５と絶縁層３５との間において、画素電極ＰＥ１、ＰＥ２、及びＰＥ３と接している。なお、図示しないが、有機ＥＬ素子ＯＬＥＤは、透明な封止膜によって封止されていることが望ましい。
【０１３８】
第２基板ＳＵＢ２は、基体４０、カラーフィルタ層２２０等を備えている。基体４０は、例えば、ポリイミド等の有機絶縁材料によって形成されている。なお、基体４０は、光学フィルムや偏光板等を含んでいてもよい。
【０１３９】
カラーフィルタ層２２０は、基体４０の内面４０Ａ側に配置されている。カラーフィルタ層２２０は、カラーフィルタＣＦ１、カラーフィルタＣＦ２、及び、カラーフィルタＣＦ３を備えている。カラーフィルタＣＦ１、ＣＦ２、ＣＦ３は、互いに異なる色にそれぞれ着色された樹脂材料によって形成されている。一例では、カラーフィルタＣＦ１は青色カラーフィルタであり、カラーフィルタＣＦ２は緑色カラーフィルタであり、カラーフィルタＣＦ３は赤色カラーフィルタである。なお、カラーフィルタ層２２０は、さらに、白色あるいは透明のカラーフィルタを含んでいてもよい。カラーフィルタＣＦ１、ＣＦ２、ＣＦ３は、それぞれ有機ＥＬ素子ＯＬＥＤ１、ＯＬＥＤ２、ＯＬＥＤ３と対向している。なお、カラーフィルタは、省略されてもよい。
【０１４０】
上記のような第１基板ＳＵＢ１と第２基板ＳＵＢ２とは、領域Ａ１において、透明な接着剤４１によって接着されている。また、第１基板ＳＵＢ１及び第２基板ＳＵＢ２は、接着剤４１に加えて、非表示領域において、接着剤４１を囲むシール材によって接着されていてもよい。
【０１４１】
第９変形例においても、図３に示す例と同様の効果を得ることができる。
【０１４２】
本実施形態において、液晶素子ＬＣ及び有機ＥＬ素子ＯＬＥＤは、表示素子に相当する。基体１０及び基体３０は、第１基体に相当する。領域Ａ１は、第１領域に相当し、領域Ａ２は、第２領域に相当し、領域Ａ３は、第３領域に相当する。また、領域Ａ６は、第４領域に相当する。折り曲げ線ＦＬ１は、第１折り曲げ線に相当し、折り曲げ線ＦＬ２は、第２折り曲げ線に相当し、折り曲げ線ＦＬ５は、第３折り曲げ線に相当し、折り曲げ線ＦＬ６は、第４折り曲げ線に相当する。また、折り曲げ線ＦＬ１７は、第５折り曲げ線に相当する。ソースドライバＳＤは、第１ドライバに相当し、ゲートドライバＧＤ２は、第２ドライバに相当する。端部Ｅ２ａは、第１端部に相当し、端部Ｅ３ａは、第２端部に相当する。実装部ＭＴ１は、第１実装部に相当し、実装部ＭＴ２は、第２実装部に相当する。配線ＷＬ１は、第１配線に相当する。配線ＷＬ４ａは、第２配線に相当し、配線ＷＬ４ｂは、第３配線に相当する。シールＳＥは、枠体に相当する。絶縁層１２は、第１有機絶縁層に相当し、絶縁層１４は、第２有機絶縁層に相当する。予備表示領域Ｂ２は、第１予備表示領域に相当し、予備表示領域Ｂ３は、第２予備表示領域に相当する。
【０１４３】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１４４】
１０，２０…基体、１１…絶縁層、１２…絶縁層、１４…絶縁層、ＰＮＬ…表示パネル、ＬＣ…液晶層（液晶素子）、ＳＥ…シール、ＢＭ…遮光層、ＦＬ１，ＦＬ２，ＦＬ５，ＦＬ６…折り曲げ線、Ｅ２ａ，Ｅ３ａ…端部、ＳＤ…ソースドライバ、ＧＤ１，ＧＤ２…ゲートドライバ、Ａ１，Ａ２，Ａ３…領域。
【図１】
2019012229.tif 000003
【図２】
2019012229.tif 000004
【図３】
2019012229.tif 000005
【図４】
2019012229.tif 000006
【図５】
2019012229.tif 000007
【図６】
2019012229.tif 000008
【図７】
2019012229.tif 000009
【図８】
2019012229.tif 000010
【図９】
2019012229.tif 000011
【図１０】
2019012229.tif 000012
【図１１】
2019012229.tif 000013
【図１２】
2019012229.tif 000014
【図１３】
2019012229.tif 000015
【図１４】
2019012229.tif 000016
【図１５】
2019012229.tif 000017
【図１６】
2019012229.tif 000018
【図１７】
2019012229.tif 000019
【図１８】
2019012229.tif 000020
【図１９】
2019012229.tif 000021
【図２０】
2019012229.tif 000022
【図２１】
2019012229.tif 000023
【図２２】
2019012229.tif 000024